(57)【要約】【課題】モータとモータの出力を外部に出す出力ギヤとを合わせた部分の厚みや、モータを含めたリフタへの駆動力を伝達する伝達手段の機構を薄くできる光磁気記録再生装置を提供する。【解決手段】リフタ５の駆動源のモータ６として、モータ６の外周部にロータ部６ｉが回転自在に配設されているものを用いるとともに、このロータ部６ｉに、モータ６の駆動力を出力して伝達手段の伝達ギヤに噛み合うモータギヤ６ａを設ける。これにより、モータ出力用のギヤ部分であるモータギヤ６ａを含めたモータ６の高さを低減させることが可能となり、この結果、モータ６を含めたリフタ５への駆動力を伝達する伝達手段の機構を薄くできて、ひいては、光磁気記録再生装置の薄型化を実現できる。【選択図】　　図１
2004118949.tif 000002
【特許請求の範囲】
【請求項１】
記録再生可能なディスクを収納したカートリッジを保持するホルダと、このホルダに回動可能に取り付けられ、ディスク面に磁気ヘッドを接触あるいは離間させるためのリフタと、前記リフタの駆動源としてのモータと、モータの出力をリフタに伝達する伝達ギヤを有する伝達手段とを備えた光磁気記録再生装置であって、前記モータとして、モータの外周部が回転軸と一体的に回転自在に配設されているものを用いるとともに、この外周部に、モータの駆動力を出力して前記伝達手段の伝達ギヤに噛み合う出力ギヤ部を設けたことを特徴とする光磁気記録再生装置。
【請求項２】
モータの外周部がロータ部にて構成されていることを特徴とする請求項１に記載の光磁気記録再生装置。
【請求項３】
モータは扁平形状とされ、ホルダに取り付けられていることを特徴とする請求項１または２に記載の光磁気記録再生装置。
【請求項４】
出力ギヤ部がウォームであることを特徴とする請求項１〜３の何れかに記載の光磁気記録再生装置。
【請求項５】
出力ギヤ部が平歯ギヤであることを特徴とする請求項１〜３の何れかに記載の光磁気記録再生装置。
【発明の詳細な説明】
【０００１】
【発明の属する技術分野】
本発明は、ディスクに対して情報の記録や再生を行うことができる光磁気記録再生装置に関するものである。
【０００２】
【従来の技術】
近年、光ディスクを記録媒体として光ピックアップにより読取り再生する光磁気記録再生装置は、小型化、高性能化が進んでおり、携帯用の光磁気記録再生装置としてミニディスク（ＭＤ）を用いた携帯用ＭＤレコーダが一般的に普及している。
【０００３】
以下、従来の光磁気記録再生装置について、特開２００２−３２９３８号公報（特許文献１）に開示されている携帯型のＭＤレコーダを例にとり、図１１〜図１４を用いて説明する。
【０００４】
従来の光磁気記録再生装置の分解斜視図を図１２、図１３により示す。１は音楽信号などの信号を記録再生可能なＭＤなどのディスク、２はディスク１を収納したカートリッジ、１００はシャーシで、このシャーシ１００の下部には、前記ディスク１を載せて回転させるためのスピンドルモータ１０１と、前記ディスク１の情報を読み込むための光ピックアップ１０２と、前記ディスク１に音楽情報を記録するための磁気ヘッドユニット１０３とが設けられている。
【０００５】
１０４は、カートリッジ２を保持するホルダであり、その上部にブラシレス型で扁平形状のモータ１０５が２本の止めビス１２６ａ、１２６ｂにて固定されている。モータ１０５の上方には、この出力軸に嵌め込まれたモータギヤ１０５ａが設けられ、このモータギヤ１０５ａは、隣接して配設された減速ギヤ１０６と噛み合わされており、モータギヤ１０５ａの回転が減速ギヤ１０６に伝えられる。減速ギヤ１０６は減速ギヤ軸１０７を中心に回転し、減速ギヤ軸１０７はホルダ１０４にカシメ固定されている。１０８はワッシャであり、減速ギヤ１０６が減速ギヤ軸１０７に組み付けられた後、このワッシャ１０８を減速ギヤ軸１０７に嵌めることにより、減速ギヤ１０６の抜け止めをしている。減速ギヤ１０６の上部には平歯車１０６ａが形成され、この平歯車１０６ａが前記モータギヤ１０５ａと噛み合わされている。
【０００６】
また、図１２、図１３では隠れているが、図１５に示すように、減速ギヤ１０６における平歯車１０６ａの下方にはウォーム１０６ｂが一体形成されている。このウォーム１０６ｂには、ギヤ軸１００に回転自在に通されたウォームホイール１０８が噛み合わされ、このウォームホイール１０８の一端には連結用突部１０８ａが形成されている。そして、このウォームホイール１０８の連結用突部１０８ａは、同じくギヤ軸１００に回転自在に通されたリードスクリュ１０９の一端に形成された連結用突部１０９ａに係合するようになっており、これらの連結用突部１０８ａ、１０９ａを介して、ウォームホイール１０８の回転がリードスクリュ１０９に伝達される。
【０００７】
また、ギヤ軸１１０に通されたリードスクリュ１０９の両端には、コイルばね１１１、１１２が配設されている。コイルばね１１１は、ウォームホイール１０８とリードスクリュ１０９との各々の連結用突部１０８ａ、１０９ａの間に配設され、コイルばね１１２は、ワッシャ１１３とワッシャ１１４との間に配設されている。ワッシャ１１３は、リードスクリュ１０９の回転が直接コイルばね１１２に伝わらない役目を果たしている。ワッシャ１１４と、ウォームホイール１０８側に設けられたワッシャ１１５とは、ウォームホイール１０８およびリードスクリュ１０９がギヤ軸１１０より抜けないような役割をしている。ギヤ軸１１０はその両端がホルダ１０４の支持部１０４ａ、１０４ｂに固定されてホルダ１０４上に取り付けられている。
【０００８】
リードスクリュ１０９の溝部１０９ｂには、ナット板１１６に設けられた歯部１１６ａが噛み合っており、ナット板１１６は、連結ロッド１１７に接着固定されている。連結ロッド１１７には、ガイド孔１１７ｂ、１１７ｃが設けられており、これらのガイド孔１１７ｂ、１１７ｃには、ホルダ１０４に設けられたリブ１０４ｃ、１０４ｄが挿入され、これにより連結ロッド１１７は、矢印ホ方向、または、矢印へ方向へ移動可能な状態でホルダ１０４に支持されている。
【０００９】
１１８は一端に係合部１１８ａが形成されたリフタであり、この係合部１１８ａは、連結ロッド１１７のカム部１１７ａと当接して係合する。リフタ１１８は、その片側両端部に形成された支持部１１８ｂ、１１８が、ホルダ１０４に形成された固定部１０４ｅ、１０４ｆに嵌め込まれて、これらの支持部１１８ｂ、１１８ｃを中心に回動可能な状態で支持されている。また、リフタ１１８の他方側にはリフト部１１８ｄが設けられており、このリフト部１１８ｄが、磁気ヘッド１０３の被リフト部１０３ｂと接触可能な位置に設置されている。
【００１０】
磁気ヘッド１０３は、ヘッド抑えばね１１９とともに、止めビス１２０によりヘッドアングル１２１にねじ締め固定されている。また、ヘッドアングル１２１は、止めビス１２２により、光ピックアップ１０２に固定されている。
【００１１】
図１４（ａ）、（ｂ）は磁気ヘッド１０３の動作を示す側面図で、図１４（ａ）は、ディスク１と磁気ヘッド１０３のヘッド部１０３ａとが離間した状態、図１４（ｂ）は、これらが接触した状態である。このような構成において、モータ１０５を時計回り、もしくは反時計回りに回転させることにより、モータギヤ１０５ａ、減速ギヤ１０６、ウォームホイール１０８、リードスクリュ１０９などからなるウォームギヤ減速機構（伝達手段）で、連結ロッド１１７を図１４における矢印ホ方向、もしくは矢印ヘ方向に移動させることができる。
【００１２】
図１４（ａ）は磁気ヘッド１０３のヘッド部１０３ａがディスク１から離間した状態を示す。この状態からモータ１０５を回転させて、連結ロッド１１７を矢印ホ方向に動かすことにより、カム部１１７ａに当接したリフタ１１８のカム面１１８ａが、支持部１１８ｂを支点として時計方向に回転し、リフタ１１８のリフト部１１８ｄが磁気ヘッド１０３の被リフト部１０３ｂから離れる方向に移動する。それに伴い、磁気ヘッド１０３のヘッド部１０３ａはディスク１に接近し、最終的には図１４（ｂ）に示すように、磁気ヘッド１０３のヘッド部１０３ａはディスク１と接触する。その際、磁気ヘッド１０３の被リフト部１０３ｂはリフタ１１８のリフト部１１８ｂと適切な隙間を保持した離間状態となる。
【００１３】
逆に磁気ヘッド１０３のヘッド部１０３ａをディスク１から離間させる際には図１４（ｂ）において昇降ロッド１１７が矢印ヘ方向に移動するようにモータ１０５を上記方向とは逆方向に回転させる。それにより、リフタ１１８は反時計方向に回転し、リフト部１１８ｂで磁気ヘッド１０３の被リフト部１０３ｂが持上げられて、ヘッド部１０３ａがディスク１と離間する。
【００１４】
なお、図１２において、１２３は蓋、１２４はディスク１の情報を再生記録させるための電気回路が構成された配線基板、１２５は底ケースである。
【００１５】
【特許文献１】
特開２００２−３２９３８号公報
【００１６】
【発明が解決しようとする課題】
上記のように、従来の光磁気記録再生装置においては、磁気ヘッド１０３のヘッド部１０３ａをディスク１に接触あるいは離間させるためのリフタ１１８を駆動させる機構として、ホルダ１０４上に取り付けられたモータ１０５の回転力を、連結ロッド１１７の移動に変換して伝達する伝達手段を設け、この伝達手段を、モータギヤ１０５ａ、減速ギヤ１０６、ウォームホイール１０８、リードスクリュ１０９などからなるウォームギヤ減速機構で構成していた。
【００１７】
このような構造を採用したことにより、モータ１０５の回転力をリフタ１１８に伝える伝達手段（ウォームギヤ減速機構）のホルダ１０４からの必要な高さは、図１５に示すように、モータ１０５と減速ギヤ１０６とは高さ方向に一部重なっているため、少なくとも、モータ１０５の本体部分の厚みとモータギヤ１０５ａの厚みとを加えた値、もしくは、モータ１０５の本体部分の厚みと減速ギヤ１０６の平歯ギヤ部１０６ａの厚みとこれらの間の隙間高さを加えた値、もしくはウォームホイール１０８の直径と減速ギヤ１０６の平歯ギヤ部１０６ａとの厚みおよびこれらの間の隙間高さを加えた値の何れかで決定されていた。すなわち、従来の機構では、モータ１０５の本体部分より上方に突出させた出力軸１０５ｂにモータギヤ１０５ａを取り付けた構造であったため、比較的大きな高さ寸法ｈが必要であった。
【００１８】
また、実際には、これらのモータギヤ１０５ａや減速ギヤ１０６ａはそれ自身の面振れ、ギヤ１０５ａ、１０６ａとその支軸間のクリアランスにより生じる傾き等があるため、ホルダ１０４とＭＤレコーダの蓋１２３とは十分に隙間を取っておく必要が有り、上記のようにモータ１０５とこの出力ギヤであるモータギヤ１０５ａとを合わせた前記高さ寸法ｈとして比較的大きな寸法が必要であるために、薄型化し難く、その結果として携帯用のＭＤレコーダとしては厚みが厚くなるという課題を有していた。
【００１９】
本発明は上記課題を解決するもので、モータとモータの出力を外部に出す出力ギヤとを合わせた部分の厚みや、モータを含めたリフタへの駆動力を伝達する伝達手段の機構を薄くできる光磁気記録再生装置を提供することを目的とするものである。
【００２０】
【課題を解決するための手段】
上記課題を解決するために本発明は、記録再生可能なディスクを収納したカートリッジを保持するホルダと、このホルダに回動可能に取り付けられ、ディスク面に磁気ヘッドを接触あるいは離間させるためのリフタと、前記リフタの駆動源としてのモータと、モータの出力をリフタに伝達する伝達ギヤを有する伝達手段とを備えた光磁気記録再生装置であって、前記モータとして、モータの外周部が回転軸と一体的に回転自在に配設されているものを用いるとともに、この外周部に、モータの駆動力を出力して前記伝達手段の伝達ギヤに噛み合う出力ギヤ部を設けたことを特徴とし、この構成により、モータとモータの出力を外部に出す出力ギヤとを合わせた部分の厚みや、モータを含めたリフタへの駆動力を伝達する伝達手段の機構を薄くできる。
【００２１】
【発明の実施の形態】
本発明の請求項１に記載の発明は、記録再生可能なディスクを収納したカートリッジを保持するホルダと、このホルダに回動可能に取り付けられ、ディスク面に磁気ヘッドを接触あるいは離間させるためのリフタと、前記リフタの駆動源としてのモータと、モータの出力をリフタに伝達する伝達ギヤを有する伝達手段とを備えた光磁気記録再生装置であって、前記モータとして、モータの外周部が回転軸と一体的に回転自在に配設されているものを用いるとともに、この外周部に、モータの駆動力を出力して前記伝達手段の伝達ギヤに噛み合う出力ギヤ部を設けたことを特徴とする。
【００２２】
この構成によれば、モータの外周部自体に出力ギヤ部を設けているので、モータから出力軸を突出させて、この出力軸にモータギヤを取り付けた構造と比較して、モータ出力用のギヤ部分を含めたモータの高さを低減させることが可能となる。これによって、出力ギヤ部に噛み合う伝達手段の伝達ギヤも低い位置に配置でき、この結果、モータを含めたリフタへの駆動力を伝達する伝達手段の機構を薄くでき、ひいては、光磁気記録再生装置の薄型化を実現できる。
【００２３】
また、モータとして、モータの外周部がロータ部にて構成されているものを用いることで、モータから出力軸が全く突出していないものや、モータからの出力軸の突出寸法が小さいものを採用することができ、この結果、モータ出力用のギヤ部分を含めたモータの高さをさらに低減させることができる。
【００２４】
また、モータとして扁平形状のものを用いることで、さらに薄型化を促進でき、ホルダに良好に取り付けることができる。
また、出力ギヤ部としてウォームを設けることで、伝達手段の伝達ギヤとしてウォームホイールを用いた場合に、ウォームからなる出力ギヤ部をウォームホイールに直接噛み合わせることができて、構造が簡単になるとともにこれらの出力ギヤ部およびウォームホイールが設けられている箇所の高さを低めに抑えることができる。すなわち、モータの本体部分から出力軸を突出させて、この出力軸に平歯ギヤを取り付け、この平歯ギヤに、上部が平歯ギヤであり下部がウォームである部品の平歯ギヤ部分を噛み合わせる構成を採用した場合には、２つの平歯ギヤが余分に必要となって構造が複雑となり、また、上部が平歯ギヤであり下部がウォームである部品の高さも大きくなる不具合を生じるが、このような不具合を解消できる。
【００２５】
また、出力ギヤ部として平歯ギヤを設けて、伝達手段の伝達ギヤとして設けた平歯ギヤと噛み合わせるように構成することもできる。
（実施の形態１）
以下、本発明の実施の形態を図面に基づき説明する。
【００２６】
図１は本発明の第１の実施の形態に係る光磁気記録再生装置の平面図、図２は概略的な側面断面図、図３（ａ）は要部拡大平面図、図３（ｂ）は図３（ａ）のＩＩＩ−ＩＩＩ線矢視正面図、図４は同光磁気記録再生装置の要部拡大斜視図、図５は同光磁気記録再生装置のモータの正面断面図である。また、便宜上、一部の図面にのみ、その形状を記した部品もある。
【００２７】
図１、図３において、１は音楽信号などの信号を記録再生可能なＭＤなどのディスク、２はディスク１を収納したカートリッジ、３はカートリッジ２を保持するホルダ、４は磁気ヘッド、５はディスク１に磁気ヘッド４のヘッド部４ａを接触あるいは離間させるためのリフタ、６はリフタ５の駆動源としてのモータである。モータ６は、ホルダ３の上面部に、２本の止めビス７ａ、７ｂにてビス止めされて固定されている。モータ６の側面にはウォーム形状のモータギヤ６ａが設けられている。
【００２８】
ここで、モータ６は、図４、図５に示すように、前記止めビス７ａ、７ｂにてホルダ３の上面部に固定された固定ブラケット６ｂと、この固定ブラケット６ｂの中心部に固定された略筒形状のメタルハウジング６ｃと、メタルハウジング６ｃの外周に取り付けられてコイル６ｄを支持するコイル支持部６ｅと、コイル６ｄへの電流などを制御するプリント基板６ｆと、メタルハウジング６ｃの中心部に軸受６ｇを介して回転自在に支持されたシャフト６ｈと、このシャフト６ｈに中央部分が嵌め込まれ、外周に露出して回転自在に配設されているロータ部６ｉと、このロータ部６ｉの内周に固定されたマグネット６ｊと、ロータ部６ｉの外周に固定された出力ギヤ部としてのウォーム形状のモータギヤ６ａとから構成されている。すなわち、いわゆるアウタロータ形ブラシレスモータの外周部分にモータギヤ６ａが固定された構造とされている。
【００２９】
図３（ａ）、（ｂ）、図４に拡大して示すように、ウォームであるモータギヤ６ａは、第１の減速ギヤ８のウォームホイール（伝達ギヤ）８ａと噛み合わされ、モータギヤ６ａの回転が第１の減速ギヤ８に伝達される。第１の減速ギヤ８はホルダ３の保持孔３ｄ、３ｅにその両端部８ｃ、８ｄが挿入された姿勢で回転自在に保持されている。また、第１の減速ギヤ８には平歯ギヤ８ｂが設けられており、この第１の減速ギヤ８には平歯ギヤ８ｂは第２の減速ギヤ９の平歯ギヤ部９ａと噛み合っている。また、第２の減速ギヤ９には側方に突出する連結用突部９ｂが形成され、この連結用突部９ｂは、第２の減速ギヤ９に隣接して配設されたリードスクリュ１０に設けられた連結用突部１０ａに係合され、第１の減速ギヤ８の回転がリードスクリュ１０に伝達される。１１はギヤ軸であり、前記第２の減速ギヤ９、リードスクリュ１０は、このギヤ軸１１に通され、これを中心に回転する。また、リードスクリュ１０の両端には、コイルばね１２、１３が設けられている。コイルばね１２は、第２の減速ギヤ９とリードスクリュ１０と各連結用突部９ｂ、１０ａ間に配設され、また、コイルばね１３は、ワッシャ１５とワッシャ１６との間に設けられている。ワッシャ１５の役目は、リードスクリュ１０の回転が直接コイルばね１３に伝わらないようにしている。ワッシャ１６と、第２の減速ギヤ９側に設けられたワッシャ１４とは、第２の減速ギヤ９およびリードスクリュ１０がギヤ軸１１より抜けないような役割をしている。ギヤ軸１１はその両端をホルダ３の支持部３ｆ、３ｇに固定された状態でホルダ３上に設置されている。
【００３０】
リードスクリュ１０に形成されたネジ部１０ｂには、ナット板１７の歯部１７ａが噛み合わされている。ナット板１７は、スライド部材１８に接着されて固定されている。スライド部材１８およびナット板１７は、ホルダ３上において、ホルダ３に形成された第１切り起こし横曲げ部３ｊと第２切り起こし横曲げ部３ｈとが、スライド部材１８に形成された被ガイド突面部１８ｃとナット板１７とに上方から摺接され、ナット板１７に形成された溝部１７ｂにホルダ３に形成された立て曲げ部３ｋが挿入され、さらに、ホルダ３における第１切り起こし横曲げ部３ｊの立ち上がり部分に形成されたガイド孔部３ｉに、スライド部材１８の被ガイド部１８ｂが挿入されて左右位置が規制されている。この状態でスライド部材１８およびナット板１７がガイドされた姿勢で、矢印イ方向または、矢印ロ方向へスライド可能に配置されている。スライド部材１８におけるナット板１７が設けられている側とは反対側の端部には、被ガイド突面部１８ｃに続いて、その先端が下方に傾斜するカム部１８ａが形成され、このカム部１８ａは、リフタ５に形成された当接面部５ａに下方から当接して、リフタ５を上下に回動させる。このようにして、モータ６の出力がリフタ５に伝達されるようになっており、モータ６の出力をリフタ５に伝達する伝達手段は、伝達ギヤとしてのウォームホイール８ａ、平歯ギヤ８ｂ、平歯ギヤ部９ａ、連結用突部９ｂ、１０ａ、リードスクリュ１０、ナット板１７、スライド部材１８などにより構成されている。
【００３１】
図１〜図３に示すように、磁気ヘッド４を接触あるいは離間させるために昇降させるリフタ５は、その片側両端部に形成された支持部５ｂ、５ｃが、ホルダ３に形成された固定部３ａ、３ｂに嵌め込まれて、これらの支持部５ｂ、５ｃを中心に回動可能な状態で支持されている。また、リフタ５の一端にはリフト部５ｄが設けられており、このリフト部５ｄが、磁気ヘッド４の被リフト部４ｂに下方から接触可能な位置に配設されている。
【００３２】
図２に示すように、磁気ヘッド４は、止めビス１９によりヘッドアングル２０に固定され、また、ヘッドアングル２０は、止めビス２１により、光ピックアップ２２に固定されている。ホルダ３の下方にはシャーシ２３が配設されており、シャーシ２３には、ディスク１を回転させるためのスピンドルモータ２４が設けられている。また、図２において、２５は蓋、２６はディスク１の情報を再生記録させるための電気回路が構成された配線基板、２７は底ケースである。
【００３３】
以上のように構成された光磁気記録再生装置の動作について説明する。図６（ａ）、図７（ａ）、図８（ａ）は、それぞれ光磁気記録再生装置の動作を説明するための上面より見た平面図である。また、図６（ｂ）、図７（ｂ）、図８（ｂ）は、スライド部材１８のカム部１８ａとリフタ５の当接面部５ａとの係合状態を示すための図で、図６（ｂ）は図６（ａ）におけるＶＩ−ＶＩ線矢視正面図、図７（ｂ）は図７（ａ）におけるＶＩＩ−ＶＩＩ線矢視正面図、図８（ｂ）は図８（ａ）におけるＶＩＩＩ−ＶＩＩＩ線矢視正面図であり、図６（ｃ）、図７（ｃ）、図８（ｃ）は、磁気ヘッド４のヘッド部４ａとディスク１との隙間関係を明示するための図で、図６（ｃ）は磁気ヘッド４の箇所およびその近傍の左側面図、図７（ｃ）は磁気ヘッド４の箇所およびその近傍の左側面図、図８（ｃ）は磁気ヘッド４の箇所およびその近傍の左側面図である。なお、説明の便宜上、一部の構成部品、またその形状を省略している。
【００３４】
図６（ａ）〜（ｃ）は、磁気ヘッド４のヘッド部４ａが上昇している状態であり、図６（ｃ）に示すように、磁気ヘッド４のヘッド部４ａとディスク１とは隙間を開けた状態に保持されている。この際のヘッド部４ａの高さは、リフタ５のリフト部５ｄにより磁気ヘッド４の被リフト部４ｂが持上げられることにより決まる。また、リフタ５のリフト部５ｄの高さは、リフタ５がその支軸部５ｂ、５ｃを中心として回転可能な状態で、スライド部材１８のカム部１８ａによりリフタ５の当接面部５ａが当接されて持上げられることにより決定される。
【００３５】
従って、スライド部材１８の位置により、磁気ヘッド４のヘッド部４ａとディスク１との隙間の関係が決定される。図６（ａ）〜（ｃ）において、リードスクリュ１０のネジ部１０ｂのねじれ方向は右である。この状態では、ナット板１７の歯部１７ａは、リードスクリュ１０のネジ部１０ｂにおける溝部分に入りこんでいる。この状態で、モータ６が回転されると、この回転力が一連のギヤ群（モータギヤ６ａ、ウォームホイール８ａ、平歯ギヤ８ｂ、平歯ギヤ部９ａ、連結用突部９ｂ、１０ａ）を介して伝達され、リードスクリュ１０が右回転する（ねじが進む方向）。これにより、ナット板１７の歯部１７ａは、リードスクリュ１０のネジ部１０ｂに沿いながら、矢印イ方向へ移動し、これに伴ってナット板１７およびスライド部材１８が矢印イ方向へ移動する。
【００３６】
図７（ａ）〜（ｃ）は、ナット板１７およびスライド部材１８が矢印イ方向へ移動中の状態を示す。この状態からナット板１７およびスライド部材１８が矢印イ方向へ移動すると、リフタ５の当接面部５ａがスライド部材１８のカム部１８ａにおける下方に傾斜した先端寄り部分に当接するので、スライド部材１８のカム部１８ａによるリフタ５の当接面部５ａの持上げ量が少なくなって、リフタ５のリフト部５ｄの高さも低い位置となり、磁気ヘッド４のヘッド部４ａがディスク１に接近していく。
【００３７】
図８（ａ）〜（ｃ）は、ナット板１７およびスライド部材１８がさらに矢印イ方向へ移動し終わり、モータ６が停止された状態を示している。つまり、リードスクリュ１０は、ナット板１７およびスライド部材１８を最も矢印イ方向へ送り、リフタ５は最も下方の位置まで降下し、この結果、磁気ヘッド４のヘッド部４ａがディスク１に接触し、リフタ５のリフト部５ｄが磁気ヘッド４の被リフト部４ｂから離間する。この状態で磁気ヘッド４のヘッド部４ａによりディスク１への記録が行われる。
【００３８】
一方、磁気ヘッド４のヘッド部４ａを上昇させる場合は、モータ６の回転を前記とは逆方向に回転させる。すると、先ほどの説明とは逆方向の矢印ロ方向へスライド部材１８が送られて、図８から図７、図６に示す状態になり、磁気ヘッド４のヘッド部４ａの上昇が完了する。
【００３９】
このような構成によれば、図４、図５、図９に示すように、モータ６の外周部（ロータ部６ｉ）自体に出力ギヤ部としてのモータギヤ６ａを設けたので、図１５に示すように、モータ１０５の本体部分から出力軸１０５ｂを突出させて、この出力軸１０５ｂにモータギヤ１０５ａを取り付けた構造と比較して、モータ出力用のギヤ部分であるモータギヤ６ａを含めたモータ６の高さＨを低減させることができる。また、出力ギヤ部としてウォームからなるモータギヤ６ａを設けることで、伝達手段の伝達ギヤとしてウォームホイール８ａを用いた場合に、ウォームからなるモータギヤ６ａをウォームホイール８ａに直接噛み合わせることができて、構造が簡単になるとともにこれらのモータギヤ６ａおよびウォームホイール８ａが設けられている箇所の高さも低めに抑えることができる。この結果、モータ６を含めたリフタ５への駆動力を伝達する伝達手段の機構を薄くでき、このような伝達手段をホルダ３の上部に配置することで、蓋２５をホルダ３により近づけることができ、光磁気記録再生装置（ＭＤレコーダ）として、薄型化が実現できる。
【００４０】
（実施の形態２）
次に、図１０（ａ）、（ｂ）により、本発明の第２の実施の形態に係る光磁気記録再生装置について説明する。概略の構成は上記実施の形態１と同様なため、大きく異なる部分を拡大した正面図および側面図を、図１０（ａ）および（ｂ）に示す。上記実施の形態１と同様に、ホルダ３の上部にモータ６が２本の止めビス７ａ、７ｂにてビス締めにより固定されている。ここで、モータ６の側面、すなわち、ロータ部６ｉの側面には平歯形状のモータギヤ６ｋが設けられている。そして、このモータギヤ６ｋの回転は、モータ６に隣接して回転自在に配置された減速用の平歯ギヤ２９、３０、３１に伝達され、平歯ギヤ３１の小歯車部３１ａにそのラック部３２ａが噛み合わされたスライド部材３２に伝達されるようになっている。そして、モータ６を回転させてスライド部材３２を矢印ハ方向、あるいは矢印ニ方向に移動させることにより、スライド部材３２に形成したカム部３２ｂがリフタ５の当接面部５ａを押し上げ、リフタ５のリフト部５ｄが磁気ヘッド４の被リフト部４ｂを押し上げて、磁気ヘッド４のヘッド部４ａをディスク１と接触、あるいは離間させるようになっている。
【００４１】
この構成によっても、モータ６の外周部（ロータ部６ｉ）自体に出力ギヤ部としてのモータギヤ６ｋを設けたので、モータギヤ６ｋを含めたモータ６の高さを低減させることができ、これによっても、モータ６を含めたリフタ５への駆動力を伝達する伝達手段の機構を薄くでき、ひいては、光磁気記録再生装置の薄型化を実現できる。
【００４２】
また、上記実施の形態では何れの場合も、モータ６として外周部がロータ部６ｉで構成されているいわゆるアウタロータ形モータを用いた場合を述べ、この場合には、図５に示すように、モータ６の本体部分からのシャフト６ｈの突出寸法が小さいものを用いることができるだけでなく、さらには、シャフト６ｈが本体部分から全く突出していないものを用いることができて、モータ出力用のギヤ部分を含めたモータ６の高さをさらに低減させることができる利点がある。
【００４３】
しかしながら、これに限るものではなく、インナロータ形などのように、本体部分は回転せずに、出力軸が本体部分から突出しているモータを用いることも可能であり、図１０に示すように、モータ６の出力軸６ｍに、モータ本体部分６ｎの外周を覆うような筒状の回転体６ｐを設け、この回転体６ｐの外周にモータギヤ６ｑを形成してもよい。この場合には、モータ６の出力軸６ｍの突出寸法や回転体６ｐの取り付け高さ分だけ、ギヤ部分を含めたモータ６の高さが若干大きくなるものの、この場合でも、モータの本体部分から出力軸を突出させて、この出力軸にモータギヤを取り付けた構造と比較すると、モータギヤを含めたモータの高さを低目に抑えることが可能であり、さらに、モータ出力用のギヤ６ｑとしてその高さがモータの高さとほぼ同じものを形成することも可能である。なお、図１１における、６ｄはコイル、６ｊはマグネット、６ｂは固定ブラケットである。
【００４４】
また、上記実施の形態では何れの場合も、モータ６として扁平形状のものを用いた場合を述べ、この場合には、薄型化を促進できる利点があるが、これに限るものではない。
【００４５】
【発明の効果】
以上のように本発明によれば、リフタの駆動源のモータとして、モータの外周部が回転軸と一体的に回転自在に配設されているものを用いるとともに、この外周部に、モータの駆動力を出力して伝達手段の伝達ギヤに噛み合う出力ギヤ部を設けることにより、モータ出力用のギヤ部分を含めたモータの高さを低減させることが可能となり、この結果、モータを含めたリフタへの駆動力を伝達する伝達手段の機構を薄くできて、ひいては、光磁気記録再生装置の薄型化を実現できる。
【００４６】
また、モータとして、モータの外周部がロータ部にて構成されているものを用いることで、モータの本体部分から出力軸が突出していないものや、モータの出力軸の突出寸法が小さいものを採用することができ、この結果、モータ出力用のギヤ部分を含めたモータの高さをさらに低減させることができる。
【００４７】
また、出力ギヤ部としてウォームを設けることで、伝達手段の伝達ギヤとしてウォームホイールを用いた場合に、ウォームからなる出力ギヤ部をウォームホイールに直接噛み合わせることができて、構造が簡単になるとともにこれらの出力ギヤ部およびウォームホイールが設けられている箇所の高さを低めに抑えることができる。
【図面の簡単な説明】
【図１】本発明の第１の実施の形態に係る光磁気記録再生装置の平面図
【図２】同実施の形態に係る光磁気記録再生装置の概略的な側面断面図
【図３】（ａ）は同実施の形態に係る光磁気記録再生装置の要部拡大平面図
（ｂ）は図３（ａ）のＩＩＩ−ＩＩＩ線矢視正面図
【図４】同実施の形態に係る光磁気記録再生装置の要部拡大斜視図
【図５】同実施の形態に係る光磁気記録再生装置のモータの正面断面図
【図６】同実施の形態に係る光磁気記録再生装置の動作を説明するための図で、磁気ヘッドのヘッド部がディスクから離間している状態を示し、（ａ）は光磁気記録再生装置の平面図、（ｂ）は（ａ）におけるＶＩ−ＶＩ線矢視正面図、（ｃ）は磁気ヘッドの箇所およびその近傍の左側面図
【図７】同実施の形態に係る光磁気記録再生装置の動作を説明するための図で、磁気ヘッドのヘッド部がディスクに接近している状態を示し、（ａ）は光磁気記録再生装置の平面図、（ｂ）は（ａ）におけるＶＩＩ−ＶＩＩ線矢視正面図、（ｃ）は磁気ヘッドの箇所およびその近傍の左側面図
【図８】同実施の形態に係る光磁気記録再生装置の動作を説明するための図で、磁気ヘッドのヘッド部がディスクに接触している状態を示し、（ａ）は光磁気記録再生装置の平面図、（ｂ）は（ａ）におけるＶＩＩＩ−ＶＩＩＩ線矢視正面図、（ｃ）は磁気ヘッドの箇所およびその近傍の左側面図
【図９】同実施の形態に係る光磁気記録再生装置の要部側面図
【図１０】（ａ）は本発明の第２の実施の形態に係る光磁気記録再生装置の平面図、（ｂ）は同光磁気記録再生装置の左側面図
【図１１】本発明の第３の実施の形態に係る光磁気記録再生装置のモータの正面断面図
【図１２】従来の光磁気記録再生装置の分解斜視図
【図１３】同従来の光磁気記録再生装置におけるホルダ取り付け部分の分解斜視図
【図１４】同従来の光磁気記録再生装置における動作を説明するための図で、（ａ）は磁気ヘッドのヘッド部がディスクから離間している状態を示す側面図、（ｂ）は磁気ヘッドのヘッド部がディスクに接触している状態を示す側面図
【図１５】同従来の光磁気記録再生装置の要部側面図
【符号の説明】
１　　　ディスク
２　　　カートリッジ
３　　　ホルダ
４　　　磁気ヘッド
５　　　リフタ
６　　　モータ
６ａ、６ｋ、６ｑ　　モータギヤ
６ｂ　　固定ブラケット
６ｈ　　シャフト
６ｉ　　ロータ部
６ｍ　　出力軸
６ｐ　　回転体
８　　　第１の減速ギヤ
９　　　第２の減速ギヤ
１０　　リードスクリュ
１１　　ギヤ軸
１７　　ナット板
１８　　昇降ロッド
２２　　光ピックアップ
２３　　シャーシ
【図１】
2004118949.tif 000003
【図２】
2004118949.tif 000004
【図３】
2004118949.tif 000005
【図４】
2004118949.tif 000006
【図５】
2004118949.tif 000007
【図６】
2004118949.tif 000008
【図７】
2004118949.tif 000009
【図８】
2004118949.tif 000010
【図９】
2004118949.tif 000011
【図１０】
2004118949.tif 000012
【図１１】
2004118949.tif 000013
【図１２】
2004118949.tif 000014
【図１３】
2004118949.tif 000015
【図１４】
2004118949.tif 000016
【図１５】
2004118949.tif 000017